(57)【要約】【課題】コンクリート構造物に打ち込まれたアンカーを容易に抜き取れるようにすることである。【解決手段】アンカー抜取具１を、カットアンカー３のスリーブ４とねじ結合する筒状のホルダー６と、ホルダー６内周にねじ込まれるロッド７とを備えたものとし、この抜取具１のホルダー６とコンクリート構造物２に打ち込まれたアンカー３のスリーブ４とをねじ結合した後、抜取具１のロッド７をホルダー６とねじ結合した状態で回転させ続け、ロッド７先端部でアンカー３のコーン５を押さえつけながら、ホルダー６をスリーブ４と一体にロッド７基端側へ移動させることにより、スリーブ４の変形状態や表面の状況によらず、容易にスリーブ４を引き抜けるようにしたのである。【選択図】図１
2005066725.tif 000002
【特許請求の範囲】
【請求項１】
コンクリート構造物に打ち込まれたアンカーを抜き取るためのアンカー抜取具において、前記アンカーが、先端部に軸方向スリットが形成され、内周にアンカーボルトと結合する雌ねじ部を有する円筒状のスリーブと、スリーブ先端部に圧入されるコーンとからなるものであり、このアンカーのスリーブの雌ねじ部と結合する雄ねじ部を有する筒状のホルダーと、ホルダーの基端側からホルダー内周にねじ込まれ、先端部で前記アンカーのコーンを押さえつけるロッドとを備えていることを特徴とするアンカー抜取具。
【請求項２】
コンクリート構造物に打ち込まれたアンカーを抜き取る方法において、前記アンカーが請求項１に記載されたものであり、このアンカーのスリーブと請求項１に記載のアンカー抜取具のホルダーとをねじ結合した後、前記アンカー抜取具のロッドをホルダーとねじ結合した状態で回転させ続けることにより、ロッド先端部で前記アンカーのコーンを押さえつけながら、前記ホルダーをロッド基端側へ移動させてホルダーと結合したスリーブを引き抜くことを特徴とするアンカー抜取方法。
【請求項３】
コンクリート構造物に打ち込まれたアンカーを抜き取るためのアンカー抜取具において、前記アンカーが、先端部に軸方向スリットが形成された円筒状のスリーブと、スリーブに通される雄ねじ部の先端にスリーブ先端部に圧入されるコーンを一体に形成したコーン付ボルトとからなるものであり、このアンカーのスリーブの基端部が挿入され、外周側からねじ込まれた止めねじでスリーブと結合される筒状のホルダーと、ホルダーの基端側からホルダー内周にねじ込まれ、先端部で前記アンカーのコーン付ボルトを押さえつけるロッドとを備えていることを特徴とするアンカー抜取具。
【請求項４】
コンクリート構造物に打ち込まれたアンカーを抜き取る方法において、前記アンカーが請求項３に記載されたものであり、このアンカーのスリーブの基端部に、予め請求項３に記載のアンカー抜取具の止めねじと係合する係合部を設けておき、前記止めねじを前記アンカー抜取具のホルダーの外周側からねじ込み、その先端部を前記スリーブの係合部に嵌め込んでホルダーとスリーブとを結合した後、前記アンカー抜取具のロッドをホルダーとねじ結合した状態で回転させ続けることにより、ロッド先端部で前記アンカーのコーン付ボルトを押さえつけながら、前記ホルダーをロッド基端側へ移動させてホルダーと結合したスリーブを引き抜くことを特徴とするアンカー抜取方法。
【発明の詳細な説明】
【技術分野】
【０００１】
この発明は、コンクリート構造物に打ち込まれたアンカーを抜き取るためのアンカー抜取具と、それを用いたアンカー抜取方法に関する。
【背景技術】
【０００２】
コンクリート構造物に外壁工事用の足場や広告看板等を取り付ける場合には、通常、構造物の所定の場所に穴をあけてアンカーを打ち込み、このアンカーに足場等を連結するようにしている。
【０００３】
このようなアンカーには、構造物に打ち込んだ後で足場等との連結部材となるアンカーボルトを取り付けるタイプのもの（カットアンカー）と、最初からアンカーボルトが一体となっているもの（セットアンカー）とがある。このうち、前者のカットアンカーは、先端部に軸方向スリットが形成され、内周に雌ねじ部を有する円筒状のスリーブと、スリーブ先端部に圧入されるコーンとからなり、コーンを圧入したスリーブを構造物にあけた穴に入れて打ち込むことにより、スリーブ先端部が拡開して構造物に固定され、その後でスリーブにアンカーボルトをねじ込まれるようになっている。
【０００４】
一方、後者のセットアンカーは、先端部に軸方向スリットが形成された円筒状のスリーブと、スリーブに通される雄ねじ部の先端にスリーブ先端部に圧入されるコーンを一体に形成したコーン付ボルトとからなり、カットアンカーと同様に構造物に固定され、スリーブの基端から突出するコーン付ボルトの雄ねじ部が足場等との連結部材として使用されるようになっている。
【０００５】
これらのアンカーを使用後も放置すると、アンカーの錆が雨水等に混じって流れ、構造物の外壁を汚すことが多い。このため、カットアンカーの場合は、予めスリーブを構造物外壁から突出しないように打ち込んでおき、使用後には樹脂モルタルを塗り込んで補修している。また、セットアンカーの場合は、構造物外壁から突出している部分を切断除去した後、樹脂モルタルを塗り込んでいる。しかし、樹脂モルタルは、付着力があまり強くないため、時間が経つにつれて徐々に浮いてきたり剥がれたりして、アンカーの発錆による構造物外壁の汚れを防止できない場合がある。
【０００６】
上記の問題は、構造物に打ち込んだアンカーを使用後に取り出すことによって解決することができる。しかし、そのためには、アンカーの周囲のコンクリートを削り取る必要があり、樹脂モルタルによる補修に比べて費用や手間が多くかかるうえ、構造物の強度の面でも好ましくない。
【０００７】
これに対して、カットアンカーについては、使用後に周囲のコンクリートを削ることなく抜き取るための工具が種々提案されている。この種のアンカー抜取具は、スリーブの雌ねじ部と結合する雄ねじ部を有するロッドを備え、ロッドをスリーブとねじ結合した状態で回転させ続けることにより、ロッド先端部でコーンを押さえつけながら、スリーブをロッド基端側へ移動させて引き抜くようにしたものが多い。なお、スリーブ引抜後に構造物の穴の中に残されたコーンは、構造物に固定されていないので、簡単に取り出すことができる（例えば、特許文献１参照。）。
【特許文献１】登録実用新案第３０８２０８４号公報
【０００８】
しかしながら、上述した従来のアンカー抜取具は、スリーブとねじ結合したロッドを回転させ続けてスリーブを引き抜くものであるから、スリーブの雌ねじ部が打込時に変形していたり、雌ねじ部表面に砂等の異物が付着していたりすると、ロッドを回転させるのにかなり強い力が必要となって、抜取作業に非常に手間がかかるようになる問題がある。また、ロッドの雄ねじ部が摩耗しやすく、寿命が短い問題もある。
【０００９】
一方、セットアンカーに対しては、上述した抜取具は使用できず、周囲のコンクリートを削らずに抜き取る方法がなかった。
【発明の開示】
【発明が解決しようとする課題】
【００１０】
この発明の課題は、コンクリート構造物に打ち込まれたアンカーを容易に抜き取れるようにすることである。
【課題を解決するための手段】
【００１１】
上記の課題を解決するため、この発明は、アンカー抜取具を、アンカーのスリーブと結合する筒状のホルダーと、ホルダー内周にねじ込まれるロッドとを備えたものとし、アンカー抜取具のロッドをホルダーとねじ結合した状態で回転させ続け、ロッドの先端部でアンカーのコーンまたはコーン付ボルトを押さえつけながら、ロッドの推進力の反作用を利用してホルダーをロッド基端側へ移動させ、ホルダーと結合したスリーブを引き抜くようにしたのである。
【００１２】
具体的には、前記アンカーが、先端部に軸方向スリットが形成され、内周にアンカーボルトと結合する雌ねじ部を有する円筒状のスリーブと、スリーブ先端部に圧入されるコーンとからなるもの（カットアンカー）である場合は、アンカー抜取具として、カットアンカーのスリーブの雌ねじ部と結合する雄ねじ部を有する筒状のホルダーと、ホルダーの基端側からホルダー内周にねじ込まれ、先端部で前記アンカーのコーンを押さえつけるロッドとを備えたものを採用する。
【００１３】
そして、このカットアンカー用の抜取具を用いたアンカー抜取方法は、前記アンカーのスリーブと前記抜取具のホルダーとをねじ結合した後、前記抜取具のロッドをホルダーとねじ結合した状態で回転させ続けることにより、ロッド先端部で前記アンカーのコーンを押さえつけながら、前記ホルダーをロッド基端側へ移動させてホルダーと結合したスリーブを引き抜くようにしたのである。
【００１４】
また、前記アンカーが、先端部に軸方向スリットが形成された円筒状のスリーブと、スリーブに通される雄ねじ部の先端にスリーブ先端部に圧入されるコーンを一体に形成したコーン付ボルトとからなるもの（セットアンカー）である場合は、アンカー抜取具として、セットアンカーのスリーブの基端部が挿入され、外周側からねじ込まれた止めねじでスリーブと結合される筒状のホルダーと、ホルダーの基端側からホルダー内周にねじ込まれ、先端部で前記アンカーのコーン付ボルトを押さえつけるロッドとを備えたものを採用する。
【００１５】
そして、このセットアンカー用の抜取具を用いたアンカー抜取方法では、前記アンカーのスリーブの基端部に、予め前記抜取具の止めねじと係合する係合部を設けておき、前記止めねじを前記抜取具のホルダーの外周側からねじ込み、その先端部を前記スリーブの係合部に嵌め込んでホルダーとスリーブとを結合した後、前記抜取具のロッドをホルダーとねじ結合した状態で回転させ続けることにより、ロッド先端部で前記アンカーのコーン付ボルトを押さえつけながら、前記ホルダーをロッド基端側へ移動させてホルダーと結合したスリーブを引き抜くようにしたのである。
【発明の効果】
【００１６】
この発明は、上述したように、アンカーのスリーブと結合する筒状のホルダーの内周にねじ込まれるロッドを、ホルダーとねじ結合した状態で回転させ続け、ホルダーをロッド基端側へ移動させてホルダーと結合したスリーブを引き抜くようにしたので、アンカーの種類によらず、またスリーブの変形状態や表面の状況によらず、容易にアンカーを抜き取ることができる。
【発明を実施するための最良の形態】
【００１７】
以下、図１乃至図６に基づき、この発明の実施形態を説明する。図１は、第１の実施形態のアンカー抜取具１を使用して、コンクリート構造物２に打ち込んだカットアンカー３を抜き取るときの途中の状態を示す。カットアンカー３は、先端部に軸方向スリット４ａが形成された円筒状のスリーブ４と、スリーブ４の先端部に圧入されるコーン５とからなり、コーン５を圧入したスリーブ４を構造物２にあけた穴２ａに入れて打ち込むことにより、スリーブ４先端部が拡開して構造物２に固定され、スリーブ４にねじ込まれるアンカーボルト（図示省略）を介して足場等の取り付けに使用されるものである。スリーブ４の基端側内周には、前記アンカーボルトをねじ込むための雌ねじ部４ｂが形成されており、この雌ねじ部４ｂが、抜取時にアンカー抜取具１とスリーブ４とをねじ結合するのに利用される。
【００１８】
前記アンカー抜取具１は、図２にも示すように、筒状のホルダー６と、ホルダー６の基端側からホルダー６内周にねじ込まれるロッド７と、ホルダー６の外周に取り付けられる一対の丸棒状のハンドル８とからなる。
【００１９】
前記ホルダー６は、その先端部の外周にアンカー３のスリーブ４の雌ねじ部４ｂと結合する雄ねじ部６ａを、基端部内周にロッド７とねじ結合するための雌ねじ部６ｂをそれぞれ有している。また、中央部の筒壁には、円周方向の相対する位置に一対のねじ穴６ｃが設けられ、各ねじ穴６ｃにハンドル８先端の雄ねじ部８ａがねじ込まれて、各ハンドル８を取り付けられている。
【００２０】
一方、前記ロッド７は、その胴部の基端側にホルダー６の雌ねじ部６ｂと結合する雄ねじ部７ａを有し、基端に形成された六角形断面の頭部７ｂを把持して回転させることにより、ホルダー６内周にねじ込まれ、胴先端部でアンカー３のコーン５を押さえつけるようになっている。
【００２１】
以下に、図３に基づいて、このアンカー抜取具１により、使用後のカットアンカー３を抜き取る方法を説明する。まず、図３（ａ）に示すように、前記アンカーボルトを取り外したアンカー３のスリーブ４に抜取具１のホルダー６をねじ込んで、ホルダー６とスリーブ４とを結合する。次に、図３（ｂ）に示すように、抜取具１のロッド７の頭部７ｂに嵌めたレンチ９を回転させて、ロッド７をホルダー６にねじ込んでいくと、ロッド７の胴部先端がアンカー３のコーン５に当接する。この状態でロッド７を回転させ続けると、ロッド７がコーン５を押さえつけるとともに、ロッド７の推進力の反作用により、ホルダー６がスリーブ４と一体にロッド７基端側へ移動する。
【００２２】
そして、図３（ｃ）に示すように、スリーブ４がある程度抜け出してコーン５と分離され、拡開していたスリーブ４先端部がほぼ元の状態に戻った段階で、レンチ９を取外し、両手で抜取具１のハンドル８を持って左右に揺動させながら引き上げることにより、図３（ｄ）に示すように、スリーブ４のみを引き抜くことができる。その後、構造物２の穴２ａの中に残されたコーン５を、適当な工具等を用いて取り出せばよい。
【００２３】
このカットアンカー抜取方法では、抜取具のロッドが従来のように直接アンカーのスリーブとねじ結合していないため、スリーブの雌ねじ部が打込時に変形していたり、雌ねじ部表面に砂等の異物が付着している場合でも、楽にロッドを回転させることができ、効率よく抜取作業を行うことができる。なお、このような場合、スリーブへのホルダーのねじ込みが多少しにくくなるが、ホルダーはスリーブと分離しない程度にねじ込むだけでよいので、このときに手間がかかることもない。また、抜取具は、従来に比べてロッドの雄ねじ部の摩耗が少なく、寿命が長い。
【００２４】
図４は、第２の実施形態のアンカー抜取具１０を用いて、セットアンカー１１をコンクリート構造物２から抜き取るときの途中の状態を示す。セットアンカー１１は、先端部に軸方向スリット１２ａが形成された円筒状のスリーブ１２と、スリーブ１２に通される雄ねじ部１３ａの先端にスリーブ１２先端部に圧入されるコーン１４を一体に形成したコーン付ボルト１３とからなり、第１の実施形態のカットアンカー３と同様に構造物２に固定され、スリーブ１２の基端から突出するボルト１３の雄ねじ部１３ａが足場等との連結部材として使用されるものである。スリーブ１２の基端部の筒壁には、円周方向の相対する位置に、アンカー抜取具１０をスリーブ１２に結合するための係合部としての一対の貫通孔１２ｂが設けられている。
【００２５】
前記アンカー抜取具１０は、図５にも示すように、筒状のホルダー１５と、ホルダー１５の基端側からホルダー１５内周にねじ込まれるロッド１６と、ホルダー１５の外周に取り付けられる一対の丸棒状のハンドル１７とからなる。各ハンドル１７のホルダー１５への取り付け方は、第１の実施形態と同じである。
【００２６】
前記ホルダー１５は、その先端部にアンカー１１のスリーブ１２の基端部が挿入されるようになっており、スリーブ１２の各貫通孔１２ｂと対応する位置に、止めねじ１８をねじ込むためのねじ孔１５ａが設けられている。また、基端部内周には、ロッド１６とねじ結合するための雌ねじ部１５ｂが形成されている。なお、図４では、説明の都合上、ねじ孔１５ａの部分のみ、ホルダー１５円周方向に９０°回転した状態を示している。
【００２７】
一方、前記ロッド１６は、その胴部全体がホルダー１５の雌ねじ部１５ｂと結合する雄ねじ１６ａとなっており、第１の実施形態と同様に、六角形断面の頭部１６ｂを把持して回転させることにより、ホルダー１５内周にねじ込まれ、胴先端部でアンカー１１のコーン付ボルト１３を押さえつけるようになっている。
【００２８】
以下、図６に基づいて、このアンカー抜取具１０でセットアンカー１１を抜き取る方法を説明する。まず、図６（ａ）に示すように、アンカー１１のスリーブ１２の基端部およびコーン付ボルト１３の雄ねじ部１３ａを抜取具１０のホルダー１５に挿入して、スリーブ１２の貫通孔１２ｂとホルダー１５のねじ孔１５ａとの位置合わせを行う。そして、ホルダー１５外周側から止めねじ１８をねじ込み、その先端部をスリーブ１２の貫通孔１２ｂに嵌め込んで、ホルダー１５とスリーブ１２とを結合する。
【００２９】
その後の手順は、図３に基づいて説明した第１の実施形態と同様に行える。すなわち、図６（ｂ）に示すように、抜取具１０のロッド１６を回転させてホルダー１５にねじ込んでいき、その胴部先端がコーン付ボルト１３の雄ねじ部１３ａに当接した後も回転させ続けることにより、ロッド１６先端部でコーン付ボルト１３を押さえつけながら、ホルダー１５をスリーブ１２と一体にロッド１６基端側へ移動させる。そして、図６（ｃ）に示すように、スリーブ１２がある程度抜け出した段階で、両手で抜取具１０のハンドル１７を持って揺動させながら引き上げることにより、図６（ｄ）に示すように、スリーブ１２を引き抜くことができる。残されたコーン付ボルト１３は、人手で簡単に取り出せる。
【００３０】
このセットアンカーの抜取方法によれば、従来のようにアンカーの周囲のコンクリートを削ることなく、人手で容易にアンカーを抜き取ることができる。
【００３１】
上述した各実施形態では、アンカーのスリーブがある程度抜け出した後は、抜取具に取り付けたハンドルを用いてスリーブを引き抜くようにしたが、スリーブがほとんど全部抜け出してしまうまで抜取具のロッドを回転させ続けるようにしてもよい。この場合は、抜取具へのハンドルの取付けは不要となる。
【図面の簡単な説明】
【００３２】
【図１】カットアンカー抜き取り途中の状態を示す縦断正面図（第１実施形態）
【図２】図１の抜取具の外観斜視図
【図３（ａ）】図１の抜取具によるアンカー抜き取りの第１の手順を説明する要部正面図
【図３（ｂ）】同上の第２の手順を説明する正面図
【図３（ｃ）】同上の第３の手順を説明する正面図
【図３（ｄ）】同上の第４の手順を説明する正面図
【図４】セットアンカー抜き取り途中の状態を示す縦断正面図（第２実施形態）
【図５】図４の抜取具の外観斜視図
【図６（ａ）】図４の抜取具によるアンカー抜き取りの第１の手順を説明する要部正面図
【図６（ｂ）】同上の第２の手順を説明する正面図
【図６（ｃ）】同上の第３の手順を説明する正面図
【図６（ｄ）】同上の第４の手順を説明する正面図
【符号の説明】
【００３３】
１  アンカー抜取具
２  構造物
３  カットアンカー
４  スリーブ
５  コーン
６  ホルダー
７  ロッド
８  ハンドル
９  レンチ
１０  アンカー抜取具
１１  セットアンカー
１２  スリーブ
１３  コーン付ボルト
１４  コーン
１５  ホルダー
１６  ロッド
１７  ハンドル
１８  止めねじ
【図１】
2005066725.tif 000003
【図２】
2005066725.tif 000004
【図３（ａ）】
2005066725.tif 000005
【図３（ｂ）】
2005066725.tif 000006
【図３（ｃ）】
2005066725.tif 000007
【図３（ｄ）】
2005066725.tif 000008
【図４】
2005066725.tif 000009
【図５】
2005066725.tif 000010
【図６（ａ）】
2005066725.tif 000011
【図６（ｂ）】
2005066725.tif 000012
【図６（ｃ）】
2005066725.tif 000013
【図６（ｄ）】
2005066725.tif 000014